(57)【要約】【課題】  熟語ルビではなく、できるだけモノルビ化率を上げることができるルビ設定プログラム及び装置を提供する。【解決手段】  熟語の中の複数の漢字のうち、全ての漢字の読みが一致する場合には、各漢字に対して該当する漢字１文字の読みをモノルビとして設定するステップと、熟語の中の複数の漢字のうち、読みが一致しない漢字が２文字以上存在する場合には、熟語の読みを熟語全体に熟語ルビとして設定するステップと、熟語の中の複数の漢字のうち、読みが一致しない漢字が１文字存在する場合には、熟語の読みの中における、読みが一致しない前記漢字に該当する読みを、読みが一致しない前記漢字の読みとして設定し、読みが一致する漢字に対して該当する漢字１文字の読みを設定することで熟語全体としてモノルビとして設定するステップとを実行する。【選択図】        図３
2019144840.tif 000002
【特許請求の範囲】
【請求項１】
コンピュータによって電子図書を製作する際にルビを自動設定するルビ設定プログラムであって、
電子図書を製作する際に元のテキストデータから複数の漢字で構成された熟語を検索するステップと、
複数の熟語の読みが予め記憶された記憶装置から、検索された熟語の読みを検索するステップと、
漢字１文字ごとの読みが予め記憶された漢字辞書装置から、検索された熟語の中の漢字１文字ずつの読みを検索するステップと、
前記検索された熟語の読みと、漢字１文字ずつの読みとが一致するか否かを、熟語を構成する漢字の先頭から順番に漢字１文字ずつ比較するステップと、
熟語の中の複数の漢字のうち、全ての漢字の読みが一致する場合には、各漢字に対して該当する漢字１文字の読みをモノルビとして設定するステップと、
熟語の中の複数の漢字のうち、読みが一致しない漢字が２文字以上存在する場合には、熟語の読みを熟語全体に熟語ルビとして設定するステップと、
熟語の中の複数の漢字のうち、読みが一致しない漢字が１文字存在する場合には、熟語の読みの中における、読みが一致しない前記漢字に該当する読みを、読みが一致しない前記漢字の読みとして設定し、読みが一致する漢字に対して該当する漢字１文字の読みを設定することで熟語全体としてモノルビとして設定するステップと、をコンピュータに実行させることを特徴とするルビ設定プログラム。
【請求項２】
前記検索された熟語の読みと、漢字１文字ずつの読みとが一致するか否かを、熟語を構成する漢字の先頭から順番に漢字１文字ずつ比較するステップの実行の際に、
熟語の中の複数の漢字のうち、熟語の読みと漢字１文字の読みとの相違が濁音又は半濁音の相違である場合には、読みが一致すると判断し、熟語の中の読みにおける濁音又は半濁音の相違である漢字に該当する読みを、当該漢字の読みとして設定することを特徴とする請求項１記載のルビ設定プログラム。
【請求項３】
電子図書を製作する際にルビを自動設定するルビ設定装置であって、
複数の熟語の読みが予め記憶された記憶装置と、
漢字１文字ごとの読みが予め記憶された漢字辞書装置と、
制御部と、を具備し、
前記制御部は、
電子図書を製作する際に元のテキストデータから複数の漢字で構成された熟語を検索する機能と、
複数の熟語の読みが予め記憶された記憶装置から、検索された熟語の読みを検索する機能と、
漢字１文字ごとの読みが予め記憶された漢字辞書装置から、検索された熟語の中の漢字１文字ずつの読みを検索する機能と、
前記検索された熟語の読みと、漢字１文字ずつの読みとが一致するか否かを、熟語を構成する漢字の先頭から順番に漢字１文字ずつ比較する機能と、
熟語の中の複数の漢字のうち、全ての漢字の読みが一致する場合には、各漢字に対して該当する漢字１文字の読みをモノルビとして設定する機能と、
熟語の中の複数の漢字のうち、読みが一致しない漢字が２文字以上存在する場合には、熟語の読みを熟語全体に熟語ルビとして設定する機能と、
熟語の中の複数の漢字のうち、読みが一致しない漢字が１文字存在する場合には、熟語の読みの中における、読みが一致しない前記漢字に該当する読みを、読みが一致しない前記漢字の読みとして設定し、読みが一致する漢字に対して該当する漢字１文字の読みを設定することで熟語全体としてモノルビとして設定する機能と、を備えることを特徴とするルビ設定装置。
【請求項４】
前記制御部は、
前記検索された熟語の読みと、漢字１文字ずつの読みとが一致するか否かを、熟語を構成する漢字の先頭から順番に漢字１文字ずつ比較する際に、
熟語の中の複数の漢字のうち、熟語の読みと漢字１文字の読みとの相違が濁音又は半濁音の相違である場合には、読みが一致すると判断し、熟語の中の読みにおける濁音又は半濁音の相違である漢字に該当する読みを、当該漢字の読みとして設定することを特徴とする請求項３記載のルビ設定装置。
【発明の詳細な説明】
【技術分野】
【０００１】
本発明は、デジタル図書や教科書コンテンツなどの電子図書の製作の際にルビを設定するプログラム及び装置に関する。
【背景技術】
【０００２】
デジタル図書や教科書コンテンツなどの電子図書の製作において、文章内の漢字に対してルビをどのように設定するかが問題となる。
例えば、特許文献１では、熟語の漢字コードに振り仮名（ルビ）の文字コードを対応付けて格納するテーブルを設けてあり、ルビを設定する場合にはテーブルを検索して熟語にルビを割り付けている。
【０００３】
なお、上記特許文献１：特開平６−１９９０５号公報では熟語全体の読み方を１つのルビとして、熟語全体に割り当てられている。これを熟語ルビという。
しかし、児童、生徒の学習用の電子図書等の場合には、漢字一文字ずつにルビが振られる方がその漢字の読みの理解を深めることができるため、漢字一文字ずつにルビが振られることが求められている。漢字一文字ずつに振られるルビをモノルビという。
特許文献２：特開平６−１９９０５号公報には、文章の漢字にルビを割り付ける際に、モノルビで設定することができる装置が開示されている。
【０００４】
特許文献２に記載の装置では、入力された文章中から漢字で構成された熟語を切り出し、この熟語の振り仮名テーブルを検索することで、この熟語の読みを確定する。
そして、熟語を構成する漢字一文字ずつの読みを漢字辞書から検索して、振り仮名テーブルから検索された熟語の読みの一部と、漢字一文字ずつの読みを比較する。読みが部分的に一致しているならば、この漢字辞書から検索した読みがこの漢字のルビであるということで、漢字のルビに設定する。他の漢字についても同様に、漢字辞書から検索した読みと、熟語の読みとを比較し、読みが部分的に一致しているならば、この漢字辞書から検索した読みがこの漢字のルビであるということで、漢字のルビに設定する。
【先行技術文献】
【特許文献】
【０００５】
【特許文献１】特開平６−１９９０５号公報
【特許文献２】特開平１１−２３２２６８号公報
【発明の概要】
【発明が解決しようとする課題】
【０００６】
特許文献２の装置では、振り仮名の先頭にマッチングする読みが見つからなかった場合は、残りの１文字以上の漢字全体に対して残りの振り仮名文字をルビとして付ける、と記載されている。
すなわち、熟語の中の所定の位置の漢字における読みが一致しない場合は、それ以降の読みを全てモノルビではなくて熟語ルビにする、ということである。
【０００７】
しかし、特許文献２のような装置では、本来モノルビにできるものであっても、熟語ルビになってしまう場合が多く、モノルビ化率をさらに高めることができる方法が求められている。
【課題を解決するための手段】
【０００８】
そこで、本発明は上記課題を解決すべくなされ、その目的とするところは、熟語ルビではなく、できるだけモノルビ化率を上げることができるルビ設定プログラム及び装置を提供することにある。
【０００９】
本発明にかかるルビ設定プログラムによれば、コンピュータによって電子図書を製作する際にルビを自動設定するルビ設定プログラムであって、電子図書を製作する際に元のテキストデータから複数の漢字で構成された熟語を検索するステップと、複数の熟語の読みが予め記憶された記憶装置から、検索された熟語の読みを検索するステップと、漢字１文字ごとの読みが予め記憶された漢字辞書装置から、検索された熟語の中の漢字１文字ずつの読みを検索するステップと、前記検索された熟語の読みと、漢字１文字ずつの読みとが一致するか否かを、熟語を構成する漢字の先頭から順番に漢字１文字ずつ比較するステップと、熟語の中の複数の漢字のうち、全ての漢字の読みが一致する場合には、各漢字に対して該当する漢字１文字の読みをモノルビとして設定するステップと、熟語の中の複数の漢字のうち、読みが一致しない漢字が２文字以上存在する場合には、熟語の読みを熟語全体に熟語ルビとして設定するステップと、熟語の中の複数の漢字のうち、読みが一致しない漢字が１文字存在する場合には、熟語の読みの中における、読みが一致しない前記漢字に該当する読みを、読みが一致しない前記漢字の読みとして設定し、読みが一致する漢字に対して該当する漢字１文字の読みを設定することで熟語全体としてモノルビとして設定するステップと、をコンピュータに実行させることを特徴としている。
この構成を採用することによって、読みが一致しない漢字が存在していても、一致しない漢字が一文字であれば、熟語の読みの中から該当する読みをその漢字の読みとしてモノルビとして設定することができる。このため、モノルビ化率を上げることができ、モノルビを欲するユーザの要望に沿った電子図書を提供できる。
【００１０】
また、前記検索された熟語の読みと、漢字１文字ずつの読みとが一致するか否かを、熟語を構成する漢字の先頭から順番に漢字１文字ずつ比較するステップの実行の際に、熟語の中の複数の漢字のうち、熟語の読みと漢字１文字の読みとの相違が濁音又は半濁音の相違である場合には、読みが一致すると判断し、熟語の中の読みにおける濁音又は半濁音の相違である漢字に該当する読みを、当該漢字の読みとして設定することを特徴としてもよい。
この構成によれば、濁音又は半濁音の有無による読みは漢字辞書にはないことも多いため、このような場合は、読みが一致すると予め判断することにより、データ処理時間の短縮化を図ることができる。
【００１１】
本発明にかかるルビ設定装置によれば、電子図書を製作する際にルビを自動設定するルビ設定装置であって、複数の熟語の読みが予め記憶された記憶装置と、漢字１文字ごとの読みが予め記憶された漢字辞書装置と、制御部と、を具備し、前記制御部は、電子図書を製作する際に元のテキストデータから複数の漢字で構成された熟語を検索する機能と、複数の熟語の読みが予め記憶された記憶装置から、検索された熟語の読みを検索する機能と、漢字１文字ごとの読みが予め記憶された漢字辞書装置から、検索された熟語の中の漢字１文字ずつの読みを検索する機能と、前記検索された熟語の読みと、漢字１文字ずつの読みとが一致するか否かを、熟語を構成する漢字の先頭から順番に漢字１文字ずつ比較する機能と、熟語の中の複数の漢字のうち、全ての漢字の読みが一致する場合には、各漢字に対して該当する漢字１文字の読みをモノルビとして設定する機能と、熟語の中の複数の漢字のうち、読みが一致しない漢字が２文字以上存在する場合には、熟語の読みを熟語全体に熟語ルビとして設定する機能と、熟語の中の複数の漢字のうち、読みが一致しない漢字が１文字存在する場合には、熟語の読みの中における、読みが一致しない前記漢字に該当する読みを、読みが一致しない前記漢字の読みとして設定し、読みが一致する漢字に対して該当する漢字１文字の読みを設定することで熟語全体としてモノルビとして設定する機能と、を備えることを特徴としている。
この構成を採用することによって、読みが一致しない漢字が存在していても、一致しない漢字が一文字であれば、熟語の読みの中から該当する読みをその漢字の読みとしてモノルビとして設定することができる。このため、モノルビ化率を上げることができ、モノルビを欲するユーザの要望に沿った電子図書を提供できる。
【００１２】
また、前記制御部は、前記検索された熟語の読みと、漢字１文字ずつの読みとが一致するか否かを、熟語を構成する漢字の先頭から順番に漢字１文字ずつ比較する際に、熟語の中の複数の漢字のうち、熟語の読みと漢字１文字の読みとの相違が濁音又は半濁音の相違である場合には、読みが一致すると判断し、熟語の中の読みにおける濁音又は半濁音の相違である漢字に該当する読みを、当該漢字の読みとして設定することを特徴としてもよい。
この構成によれば、濁音又は半濁音の有無による読みは漢字辞書にはないことも多いため、このような場合は、読みが一致すると予め判断することにより、データ処理時間の短縮化を図ることができる。
【発明の効果】
【００１３】
本発明のルビ設定プログラム及びルビ設定装置によれば、モノルビ化率を上げることができ、モノルビを欲するユーザの要望に沿った電子図書を提供することができる。
【図面の簡単な説明】
【００１４】
【図１】ルビ設定装置の概略構成を示すブロック図である。
【図２】熟語ルビとモノルビを説明する説明図である。
【図３】モノルビ設定の動作を示すフローチャートである。
【図４】長野県という熟語へのルビの設定例を示す説明図である。
【図５】上田市という熟語へのルビの設定例を示す説明図である。
【図６】雑木林という熟語へのルビの設定例を示す説明図である。
【図７】今日という熟語へのルビの設定例を示す説明図である。
【発明を実施するための形態】
【００１５】
（電子図書について）
まず、ルビの設定対象となる電子図書について説明する。
電子図書としては、デジタル録音図書であるＤＡＩＳＹ規格に基づくもの、又はタブレット等の携帯端末によって表示可能な教科書コンテンツ等が挙げられる。
本実施形態では、電子図書であればどのような形式であってもよいが、テキストデータとしてルビを設定できるデータ形式であることが必要である。
【００１６】
（ルビ設定装置）
ルビ設定装置の概略構成について、図１に基づいて説明する。
ルビ設定装置としては、具体的には通常のコンピュータを採用することができる。コンピュータは、ルビ設定プログラムを読み込んで所定の命令に従ってルビの設定機能を実現する。
【００１７】
ルビ設定装置を構成するコンピュータは、ＣＰＵ、ＲＯＭ及びＲＡＭ等のメモリを有する制御部３０と、予めデータやプログラムを記憶しておくことができる記憶装置３２と、モニタ３４と、キーボードやマウス等を含む入力装置３５とを備えている。
【００１８】
電子図書は、元のテキストデータをデータ変換することによって製作される。例えば、元のテキストデータが、文字情報を取得可能なＰＤＦファイルである場合、コンピュータの制御部３０によって機能する電子図書製作プログラムＰ２が、ＰＤＦファイルから文字情報を取得して電子図書を製作する。
【００１９】
元のテキストデータ（例えば、ＰＤＦ又はその他のデータ）は、コンピュータとは切り離されている別の機器によって、予めＰＤＦ又はその他のデータに変換され、この元の書籍のＰＤＦ又はその他のデータを、インターネット経由又はＣＤ、ＵＳＢメモリ等の記録媒体を介してコンピュータ１０が読み取り、記憶装置３２に記憶されているか、またはコンピュータに接続されたスキャナ等（図示せず）によって読み取られて記憶装置３２に記憶されていてもよい。
【００２０】
記憶装置３２には、漢字辞書４０が記憶されている。漢字辞書４０には、漢字の読みが漢字の読みデータ４１として記憶され、さらに熟語の読みが熟語の読みデータ３８として記憶されている。
漢字の読みデータ４１は、漢字１文字について複数の読みが存在する場合には、複数の読みが漢字１文字に対して記憶されている。
【００２１】
また、記憶装置３２には、ルビ設定プログラムＰ１が記憶されており、制御部３０は、ルビ設定プログラムを読み出して実行することにより、ルビ設定の機能を実行することができる。
なお、ルビ設定プログラムＰ１は、電子図書製作プログラムＰ２の一部の機能として設けられていてもよいし、別個のプログラムとして設けられていてもよい。
【００２２】
本実施形態では、元のテキストデータの熟語にはルビが設定されていないものとし、ルビ設定プログラムＰ１では、ルビが設定されていない漢字を含む熟語に対して、自動的にルビを設定するものである。
本実施形態のルビ設定プログラムＰ１は、モノルビを優先的に設定するものであるとし、モノルビが設定できない場合に限り、熟語ルビを設定するものとする。
【００２３】
ここで、図２に基づいて熟語ルビとモノルビについて説明する。
例えば、長野県という熟語に対してルビを設定する場合、熟語全体に対してルビの間隔が均一に設定されるのが熟語ルビである（図２の上段）。
これに対して、熟語を構成する漢字１文字ずつにその読みであるルビを設定するのがモノルビである（図２の下段）。モノルビは、熟語を構成する漢字のうち、どの漢字がどのように読まれるかが一目でわかるため、特に児童、生徒を対象とした電子図書においてはその要望が高い。
【００２４】
（ルビ設定動作）
次に、図３に基づいて、ルビ設定プログラムＰ１が実行するルビ設定動作について説明する。
まず、制御部３０は、元のテキストデータ内の熟語の読みを、漢字辞書４０の熟語の読みデータ３８から検索する（ステップＳ１００）。次に、制御部３０は、その熟語を構成する漢字の読みを１文字ずつ漢字辞書４０の漢字の読みデータ４１から検索する（ステップＳ１０２）。
【００２５】
制御部３０は、漢字１文字ずつの読みと、熟語の読みとを熟語の先頭から順番に１文字ずつ比較する（ステップＳ１０４）。制御部３０は、漢字１文字ずつ比較していき、熟語を構成する全ての漢字で読みが一致した（ステップＳ１０５）場合、漢字１字ずつルビを設定してモノルビとして電子図書に記憶させる（ステップＳ１０６）。
【００２６】
制御部３０は、熟語を構成する全ての漢字で読みが一致していない（ステップＳ１０５）場合、さらに一致しない漢字が１文字か、２文字以上かを判断する（ステップＳ１０８）。制御部３０は、一致しない漢字が１文字の場合、一致しない漢字の読みを、熟語の読みの中での漢字の読みを当該漢字１文字の読みとして設定し、読みが一致する漢字に対しても漢字１文字ずつその読みで設定することで、モノルビとして電子図書に記憶させる（ステップＳ１１０）。
【００２７】
なお、制御部３０は、一致しない文字が１文字ではない場合つまり２文字以上の場合には、その熟語に対して熟語ルビを設定し、電子図書に記憶させる（ステップＳ１１２）。
【００２８】
制御部３０は、上述の動作を元のテキストデータの熟語に対して全て自動的に実行することができる。
特に、一致しない文字が１文字存在した場合でもモノルビとして設定することができるので、モノルビ化率を上げることができ、モノルビを必要とする需要者の養成にこたえることができる。
【００２９】
以下、図面に基づいて熟語の具体例ごとに上述した動作を説明する。
図４に基づいて、「長野県」という熟語にモノルビを設定する場合について説明する。まず、制御部３０は、「長野県」の読みを熟語の読みデータ３８から検索する。検索の結果、「長野県」の読みは「ながのけん」であることが分かる。
【００３０】
次に、制御部３０は、「長野県」の漢字１文字ずつの読みを漢字の読みデータ４１から検索する。まず「長」は漢字の読みデータ４１から「ちょう」「おさ」「なが」の読みが検索される。「野」の読みは「の」「や」が検索される。「県」の読みは、「けん」「あがた」が検索される。
制御部３０は、熟語の読みと、漢字１文字の読みを熟語の先頭の漢字である「長」から比較する。すると、漢字「長」は「なが」が一致することが判明する。制御部３０は、一致した読みを削除した残りの熟語の読み「のけん」と次の漢字「野」の読みとを比較する。漢字辞書４０の「野」の読みは、「の」が一致する。そして「の」を除いた「けん」と漢字１文字の読み「けん」が一致する。
【００３１】
このように、「長野県」の熟語を構成する漢字は全て漢字の読みと熟語の読みが一致するため、「長野県」に対しては、「なが」「の」「けん」という漢字１文字ずつのモノルビを設定する。
【００３２】
図５に基づいて、「上田市」という熟語にモノルビを設定する場合について説明する。まず、制御部３０は、「上田市」の読みを熟語の読みデータ３８から検索する。検索の結果、「上田市」の読みは「うえだし」であることが分かる。
【００３３】
次に、制御部３０は、「上田市」の漢字１文字ずつの読みを漢字の読みデータ４１から検索する。まず「上」は漢字の読みデータ４１「うえ」「うわ」「かみ」「じょう」の読みが検索される。「田」の読みは「た」「でん」が検索される。「市」の読みは、「し」「いち」が検索される。
制御部３０は、熟語の読みと、漢字１文字の読みを熟語の先頭の漢字である「上」から比較する。すると、漢字「上」は「うえ」が一致することが判明する。制御部３０は、一致した読みを削除した残りの熟語の読み「だし」と次の漢字「田」の読みとを比較する。漢字辞書４０の「田」の読みは、「た」「でん」であり、熟語の読みデータ３８の中には存在しない。
【００３４】
したがって制御部３０は、「田」の読みについては保留し、次の漢字「市」について比較する。漢字「市」は「し」が一致することが判明する。したがって、制御部３０は、一致しない文字が１文字であるため、この１文字に該当する熟語の読みを用いてモノルビの設定をする。すなわち、「田」についての熟語の読みは、「だ」であるため、「だ」を「田」の読みとして設定し、また読みが一致している「上」は「うえ」、一致している「市」は「し」に設定する。
このようにして制御部３０は、読みが１文字相違する場合であってもモノルビ化することができる。
【００３５】
図６に基づいて、「雑木林」という熟語にモノルビを設定する場合について説明する。まず、制御部３０は、「雑木林」の読みを熟語の読みデータ３８から検索する。検索の結果、「雑木林」の読みは「ぞうきばやし」であることが分かる。
【００３６】
次に、制御部３０は、「雑木林」の漢字１文字ずつの読みを漢字の読みデータ４１から検索する。まず「雑」は漢字の読みデータ４１から「ぞう」「ざつ」の読みが検索される。「木」の読みは「き」「こ」「もく」「ぼく」が検索される。「林」の読みは、「はやし」「りん」が検索される。
制御部３０は、熟語の読みと、漢字１文字の読みを熟語の先頭の漢字である「雑」から比較する。すると、漢字「雑」は「ぞう」が一致することが判明する。制御部３０は、一致した読みを削除した残りの熟語の読み「きばやし」と次の漢字「木」の読みとを比較する。漢字辞書４０の「木」の読みは、「き」であり、熟語の読みと一致する。
【００３７】
次に、制御部３０は、「林」の読みについて比較する。漢字「林」は一致する読みが存在しない。
したがって、制御部３０は、一致しない文字が１文字であるため、この１文字に該当する熟語の読みを用いてモノルビの設定をする。すなわち、「林」についての熟語の読みは、「ばやし」であるため、「ばやし」を「林」の読みとして設定し、また読みが一致している「雑」は「ぞう」、一致している「木」は「き」に設定する。
このようにして制御部３０は、読みが１文字相違する場合であってもモノルビ化することができる。
【００３８】
図７に基づいて、「今日」という熟語にモノルビを設定する場合について説明する。まず、制御部３０は、「今日」の読みを熟語の読みデータ３８から検索する。検索の結果、「今日」の読みは「きょう」であることが分かる。
【００３９】
次に、制御部３０は、「今日」の漢字１文字ずつの読みを漢字の読みデータ４１から検索する。まず「今」は漢字の読みデータ４１から「いま」「こん」「きん」の読みが検索される。「日」の読みは「ひ」「か」「にち」「じつ」が検索される。
制御部３０は、熟語の読みと、漢字１文字の読みを熟語の先頭の漢字である「今」から比較する。すると、漢字「今」は一致する読みが存在しない。次に、漢字「日」の読みを比較するが、一致する読みが存在しない。
【００４０】
制御部３０は、読みが一致しない文字が２文字存在するため、モノルビ化しないことを決定し、「今日」に対して熟語の読みから検索された「きょう」を熟語ルビとして設定する。
【００４１】
（他の実施形態）
図５及び図６に示したように、１字相違の場合として、濁音の有無だけのことなどがよく見受けられる。例えば、上記のように「た」と「だ」の相違、「はやし」と「ばやし」の相違等である。
そこで制御部３０は、図３におけるステップＳ１０４の各漢字ごとの比較の段階で相違点が濁音又は半濁音の有無の相違だけであった場合、読みが一致するとして判断してもよい。
【００４２】
このように濁音又は半濁音の相違の場合は、最初から読みが一致すると判断するので、後の処理を実行する時間を省き、処理時間の短縮化を図ることができる。
【００４３】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００４４】
３０   制御部
３２   記憶装置
３４   モニタ
３５   入力装置
３８   熟語の読みデータ
４０   漢字辞書
４１   漢字の読みデータ
Ｐ１   ルビ設定プログラム
【図１】
2019144840.tif 000003
【図２】
2019144840.tif 000004
【図３】
2019144840.tif 000005
【図４】
2019144840.tif 000006
【図５】
2019144840.tif 000007
【図６】
2019144840.tif 000008
【図７】
2019144840.tif 000009